(57)【要約】【課題】載置体に対する敷き寝具のずれをより確実に防止することのできる敷き寝具を提供する。【解決手段】ベッドパッド本体２の頭部先部分及び／または足先部分から頭部移動固定布３及び／または足部移動固定布４を延設し、該頭部移動固定布３及び／または足部移動固定布４により一端に開口５、６を有する袋状部分７、８を形成する。この開口５、６にマットレス１０を挿入することにより、ベッドパッド１がマットレス１０からずれないようにすることができる。特に、頭側移動固定布３と足側移動固定布４との両方を設ければ、マットレス１０に対する上下左右方向へのずれを効果的に防止することができる。【選択図】図１
2007029564.tif 000002
【特許請求の範囲】
【請求項１】
敷き寝具本体の頭部先部分から頭側移動固定布が延設され、該頭側移動固定布により一端に開口を有する袋状部分が形成されることを特徴とする敷き寝具。
【請求項２】
敷き寝具本体の足先部分から足側移動固定布が延設され、該足側移動固定布により一端に開口を有する袋状部分が形成されることを特徴とする敷き寝具。
【請求項３】
敷き寝具本体の頭部先部分から延設され、一端に開口を有する袋状部分を形成する頭側移動固定布と、敷き寝具本体の足先部分から延設され、一端に開口を有する袋状部分を形成する足側移動固定布とが設けられたことを特徴とする敷き寝具。
【請求項４】
前記頭側移動固定布の側面が敷き寝具本体に止着されて、頭側移動固定布と敷き寝具本体の背面とにより袋状部分が形成され、頭側移動固定布の端縁部分に開口が形成されることを特徴とする請求項１または３に記載の敷き寝具。
【請求項５】
前記足側移動固定布の側面が敷き寝具本体に止着されて、足側移動固定布と敷き寝具本体の背面とにより袋状部分が形成され、足側移動固定布の端縁部分に開口が形成されることを特徴とする請求項２または３に記載の敷き寝具。
【発明の詳細な説明】
【技術分野】
【０００１】
本発明は、ベッドパッド、敷きパッド、シーツ、敷き布団、マットレス等の体の下に敷いて使用される敷き寝具に関するものである。
【背景技術】
【０００２】
一般的に、ベッドは、ベッド本体と、ベッド本体に設けられた床板と、床板上に載置されたマットレスとから構成される。使用者は、マットレスにシーツを敷いて使用するが、シーツを通過する汗や排泄物による汚れを防止するために、マットレスとシーツとの間にベッドパッドを敷設する。ベッドパッドが汗や排泄物を吸収するので、マットレスの汚れを防止することができる。また、ベッドパッドは、クッション性を向上させる役割も果たす。
【０００３】
上記のようなペッドパッドの機能を保障するには、ベッドパッドがマットレスからずれないことが重要になってくる。特に、介護用ベッドに敷設する場合、床板を起伏させる背上げ操作によって、ペッドパッドがマットレスからずれ落ちることは好ましくはない。
【０００４】
関連する技術として、特許文献１には、枕元側の一端に、先端をマットレスの下側に挟装するシート体を連設し、背上げ操作時にマットレスとずれが起きにくいベッドパッドが開示されている。頭先側がマットレスに固定されるため、足先側へずれ落ちにくい。
【０００５】
【特許文献１】特開２００１−１９７９６６号公報
【発明の開示】
【発明が解決しようとする課題】
【０００６】
しかしながら、特許文献１に開示の関連技術は、単にシート体をマットレスの下側に挟んでいるだけなので、シート体がずれやすい。シート体がずれればベッドパッドもずれやすくなる。
【０００７】
このようなずれの現象は、ベッドパッドとマットレスとの間に限らず、その他の敷きパッド、敷き布団、マットレス等の敷き寝具と、これらの敷き寝具が載置される載置体との間でもおこる。例えば、敷き寝具が敷きパッドで載置体が敷き布団またはマットレスの場合、敷き寝具がシーツで載置体が敷き布団またはマットレスの場合、敷き寝具が敷き布団で載置体がベッドの床板の場合、敷き寝具がマットレスで載置体がベッドの床板の場合である。いずれの場合にも敷き寝具が載置体からずれるのは好ましくない。
【０００８】
本発明は、上記に鑑み、載置体に対する敷き寝具のずれをより確実に防止することのできる敷き寝具の提供を目的としている。
【課題を解決するための手段】
【０００９】
上記目的を達成するため、本発明に係る敷き寝具は、敷き寝具本体の頭部先部分から頭側移動固定布が延設され、該頭側移動固定布により一端に開口を有する袋状部分が形成されることを特徴としている。
【００１０】
敷き寝具から頭側移動固定布を延設することで、敷き寝具を固定し、載置体からのずり落ちを防止しようとするものである。この場合、頭側移動固定布の袋状部分の開口を載置体の頭部先端部分に被せるようにして使用する。そうすると、敷き寝具の頭側が載置体に固定され、床板を背上げ操作しても袋状部分で載置体からのずれ落ちを防止することができる。
【００１１】
また、頭側移動固定布は袋状であるので、載置体の一部を立体的に包み込むことができると共に接触面積が大きい。したがって、より安定的に載置体に固定することができる。また、取付作業は、袋状部分の開口に載置体を差し込むだけなので簡単である。
【００１２】
また、上記構成においては、移動固定布を敷き寝具本体の頭側に設けたが、足側に設けてもよい。すなわち、敷き寝具本体の足先部分から足側移動固定布が延設され、該足側移動固定布により一端に開口を有する袋状部分が形成される。この構成においては、足側移動固定布の袋状部分の開口を載置体の足先先端部分に被せるようにして使用する。そうすると、敷き寝具の足側が載置体に固定され、床板を足上げ操作しても袋状部分で載置体からのずれ上がりを防止することができる。
【００１３】
そして、上述した頭側移動固定布と足側移動固定布とを組み合わせると、より好ましい。頭側移動固定布により足先方向へのずれ落ちを防止でき、足側移動固定布により頭方向へのずれ上がりを防止できる。そのうえ、頭側と足側の２点で固定するので、左右方向へもずれにくくなり、快適な生活を営む上で良好な敷き寝具を提供することができる。
【００１４】
頭側移動固定布及び足側移動固定布の袋状部分は、移動固定布そのものを袋状に形成する他、移動固定布と敷き寝具本体の布地とで形成するようにしてもよい。つまり、移動固定布の側面が敷き寝具本体に止着されて、移動固定布と敷き寝具本体の背面とにより袋状部分が形成され、移動固定布の端縁部分に開口を形成する。この構成によれば、載置体に対する左右方向へのずれをより効果的に防止することができる。
【００１５】
頭側移動固定布及び足側移動固定布は、それぞれ敷き寝具本体の頭先部分および足先部分に縫製などにより一体的に連設する態様、あるいは留めボタン等により着脱自在に連設する態様のいずれであってもよい。一体的に連設する場合は移動固定布の紛失の心配はなく、また、着脱自在な場合は洗濯等に便利である。
【００１６】
なお、一体的に連設する態様としては、縫製のほか、ホットメルトなどによる接着・圧着方式等を例示することができる。着脱態様としては、留めボタン、スライドファスナー、面状ファスナー、ゴムバンド、クリップ等の態様を例示することができる。
【００１７】
また、移動固定布の連設側端部の態様は上記のように２通りの態様を採用することができるが、移動固定布と敷き寝具本体との袋状部分を形成する場合、移動固定布の側面部分を敷き寝具本体に縫製などにより一体化する態様、あるいは留めボタンなどにより着脱自在な態様のいずれを採用してもよい。
【００１８】
なお、本発明の敷き寝具としては、ベッドパッド、敷きパッド、シーツ、敷き布団、マットレス等の体の下に敷いて使用される寝具に適用可能である。
【発明の効果】
【００１９】
以上のとおり、本発明によると、敷き寝具本体の頭部先部分及び／または足先部分から移動固定布を延設し、該移動固定布により一端に開口を有する袋状部分を形成して載置体に挿入することにより、敷き寝具をずれないようにすることができる。特に、頭部側の頭側移動固定布と足側の足側移動固定布との両方を設ければ、載置体に対する上下左右方向へのずれを効果的に防止することができる。
【発明を実施するための最良の形態】
【００２０】
以下、本発明の実施形態を図面に基づいて説明する。図１は本発明に係るベッドパッドを敷設したマットレスの斜視図であって、（ａ）は表側から見た図、（ｂ）は裏側から見た図、図２は本発明に係るベッドパッドを敷設したベッドの断面図であって、（ａ）は床板を伏した就寝状態図、（ｂ）は床板を起こした背上げ状態図である。
【００２１】
本発明の敷き寝具としてのベッドパッド１は、敷き寝具本体としてのベッドパッド本体２と、その頭部先部分から延設された頭側移動固定布３と、足先部分から延設された足側移動固定布４とから構成される。頭側移動固定布３及び足側移動固定布４により一端に開口５、６を有する袋状部分７、８が形成される。この袋状部分７、８に、その開口５、６から載置体としてのベッド９のマットレス１０の頭部部分及び足先部分を挿入できるようになっている。なお、頭側移動固定布３及び足側移動固定布４の袋状部分７、８をマットレス１０のみに被せて固定したが、マットレス１０及び床板１１に同時に被せて固定してもよい。床板１１とのずれも防止できる。
【００２２】
ベッドパッド本体２は、マットレス１０の形状に合うように長方形に形成される。また、その素材は、綿又はポリエステル等の吸湿性のよい二枚の布地間に、中綿等の詰め物を挿入し、キルティング加工を施したキルティング布とされる。
【００２３】
頭側移動固定布３及び足側移動固定布４は、ベッドパッド本体２の布地と同素材から構成され、一枚の布地、あるいは複数枚を重ねて形成することもでき、中綿などを挿入してキルティングとしてもよい。頭側移動固定布３及び足側移動固定布４の幅はベッドパッド本体２と同じか、わずかに大きく形成する。頭側移動固定布３及び足側移動固定布４の長さは、ベッドパッド本体２の長さの１/４〜１/５程度の長さとし、ベッド９のマットレス１０から外れないようにする。
【００２４】
袋状部分７、８は、頭側移動固定布３及び足側移動固定布４とベッドパッド本体２の布地とで形成する。つまり、頭側移動固定布３及び足側移動固定布４の側面がベッドパッド本体２に縫い留め止着されて、頭側移動固定布３及び足側移動固定布４とベッドパッド本体２の背面とにより袋状部分７、８が形成され、頭側移動固定布３及び足側移動固定布４の端縁部分に開口５、６が形成される。
【００２５】
また、頭側移動固定布３及び足側移動固定布４は、それぞれベッドパッド本体２の頭先部分及び足先部分に縫製などにより連設され、また、側面部分もベッドパッド本体２の側部に縫製されて一体化される。
【００２６】
上記構成によると、頭側移動固定布３の袋状部分７の開口５をマットレス１０の頭部先端部分に被せるようにして使用すれば、床板１１を背上げ操作しても袋状部分７でマットレス１０からベッドパッド１がずれ落ちるのを防止することができる。
【００２７】
また、足側移動固定布４の袋状部分８の開口６をマットレス１０の足先部分に被せるようにして使用すれば、床板１１の背上げ状態から床板１１を伏した就寝状態にしたり、床板１１の足部分を上げる操作をしても、袋状部分８でマットレス１０の足先部分を覆っているので、頭側へずり上がるのを防止することができる。
【００２８】
さらにまた、頭側移動固定布３と足側移動固定布４とを組み合わせ、２点でマットレスに固定することにより、上下方向だけでなく、左右方向にもずれにくくなる。さらに、頭側移動固定布３及び足側移動固定布４の側面とベッドパッド本体２とが縫い止め止着されているので、マットレス１の左右方向へのずれ防止効果が向上する。
【００２９】
また、図３はベッドパッドカバーの床板装着状態を示す側面図、図４はベッドパッドカバーの背面側から見た斜視図、図５はベッドパッドカバーの差渡し片の留め状態を示す斜視図である。このベッドパッドカバー１２は、上記ベッドパッド１のカバーとして使用することができる。なお、ベッドパッドカバー１２を装着せずに、直にベッドパッド１に寝るように使用してもよい。
【００３０】
このベッドパッドカバー１２は、シート状のカバー本体１２ａの一側背面に、頭側移動固定布３によって形成したベッドパッド１の袋状部分７の外側を覆い、開口を閉じることなく固定布カバー部１３が形成され、かつカバー本体１２ａの残り３辺から背面側に向かって延設された側辺カバー部１２ｂのうち、対向する２辺の側辺カバー間に２本の差渡し片１４が設けられ、該差渡し片１４の先端部分に、２段階の幅調整用ボタン構造１５が設けられ、挿入するベッドパッド１の幅に合わせて、側片カバー間の幅を２段階で調整できるようになっている。ボタン構造１５は、２段階に配列されたボタン１５ａと、側辺カバー側に形成されたボタン受け１５ｂとからなる公知構造のものであるので、詳細は省略する。
【００３１】
上記構成のベッドカバー１２の使用方法について説明する。まず、頭側移動固定布３及び足側移動固定布４にマットレス１０を挿入して固定したベッドパッド１の全体を、固定布カバー部１３の開口からベッドパッドカバー１２内に挿入し、差渡し片１４をボタン１５で固定する。そして、固定布カバー部１３に床板１１を挿入することにより、床板１１に固定する（図２〜図３）。
【００３２】
なお、本発明は上記実施形態に限定されるものではなく、本発明の範囲内で上記実施形態に多くの修正及び変更を加え得ることは勿論である。例えば、上記実施形態では、敷き寝具としてベッドパッド１、敷き寝具の載置体としてマットレス１０の場合を説明したが、その他の敷き寝具と載置体に適用することも可能である。その例としては、敷き寝具が敷きパッドで載置体が敷き布団またはマットレスの場合、敷き寝具がシーツで載置体が敷き布団またはマットレスの場合、敷き寝具が敷き布団で載置体がベッドの床板の場合、敷き寝具がマットレスで載置体がベッドの床板の場合があるが、これに限定されるものではない。
【図面の簡単な説明】
【００３３】
【図１】本発明に係るベッドパッドを敷設したマットレスの斜視図であって、（ａ）は表側から見た図、（ｂ）は裏側から見た図
【図２】本発明に係るベッドパッドを敷設したベッドの断面図であって、（ａ）は床板を伏した就寝状態図、（ｂ）は床板を起こした背上げ状態図
【図３】ベッドパッドカバーの床板装着状態を示す側面図、
【図４】ベッドパッドカバーの背面側から見た斜視図
【図５】ベッドパッドカバーの差渡し片の留め状態を示す斜視図
【符号の説明】
【００３４】
１    ベッドパッド
２    ベッドパッド本体
３    頭側移動固定布
４    足側移動固定布
５    頭側移動固定布による開口
６    足側移動固定布による開口
７    頭側移動固定布の袋状部分
８    足側移動固定布の袋状部分
９    ベッド
１０  マットレス
１１  床板
【図１】
2007029564.tif 000003
【図２】
2007029564.tif 000004
【図３】
2007029564.tif 000005
【図４】
2007029564.tif 000006
【図５】
2007029564.tif 000007